(57)【要約】      （修正有）【課題】材料費が安価で、かつ容易に組み立て・分解することができる新規な雑草防止シートを提供する。【解決手段】遮光シート１０と、当該遮光シート１０の縁部に沿って伸びる支持線材２０と、支持線材２０を遮光シート１０の縁部に取り付ける取付部材３０と、支持線材２０の端部に結合されたアンカー部材４０とを有する。これにより、取付部材３０によって遮光シート１０の縁部に支持線材２０を簡単に取り付け、固定できるため、組み立て・分解作業が容易となる。また、遮光シート１０だけであるため、材料費も安価となる。【選択図】図１
0003196472.tif 000002
【実用新案登録請求の範囲】
【請求項１】
遮光シートと、当該遮光シートの縁部に沿って伸びる支持線材と、前記支持線材を遮光シートの縁部に取り付ける取付部材と、前記支持線材の端部に結合されたアンカー部材とを有することを特徴とする雑草防止シート。
【請求項２】
請求項１に記載の雑草防止シートにおいて、
前記取付部材は、筒状の部材本体の側面に沿って切込部を有して径方向に拡縮自在な挟持部材と、当該挟持部材に嵌め込まれる棒状の巻付部材とからなることを特徴とする雑草防止シート。
【請求項３】
請求項１または２に記載の雑草防止シートにおいて、
前記支持線材は、前記遮光シートの縁部を折り返してその折り返し内側に設けられることを特徴とする雑草防止シート。
【請求項４】
請求項１または２に記載の雑草防止シートにおいて、
前記支持線材は、前記遮光シートの縁部を折り返し縫い込まれた袋状の通路内を通過するようにして設けられることを特徴とする雑草防止シート。
【考案の詳細な説明】
【技術分野】
【０００１】
本考案は、畑や空き地などにおける雑草の生育を防止するための雑草防止シートに関するものである。
【背景技術】
【０００２】
従来、畑や空き地などの雑草対策としては、（１）手作業による草取りや草刈り、（２）除草剤散布による除草、（３）雑草防止用シートの敷設などが行われている。しかし、（１）手作業による草取りや草刈りは重労働であり、肉体的な負担が大きい。また、（２）除草剤散布による除草の場合は、野菜直近での使用に抵抗感があり、また、使用には噴霧器が必要なものがあり、作業が大掛かりで慣れない者の利用が難しい。
【０００３】
さらに（３）雑草防止用シートの敷設による雑草対策の場合は、風に吹き飛ばされないように固定する必要があり、その作業が煩わしい。しかも、紫外線や風雨などによる耐久性や耐候性に乏しくすぐに穴が空いたり破れたりする。
【０００４】
また、農家などで使用している農業用マルチシートと呼ばれる穴空きの黒色ポリエチレンシートの場合は、１回の作付けごとの使い捨てであり、何度も使い回しすることができない。そのため、本考案者は以下の特許文献１等において作業性及び取扱性が良好で、かつ耐久性に優れた雑草防止用遮光ネットを提案している。
【０００５】
この遮光ネットは遮光性のネット本体の両側にそれぞれナイロン製の紐（支持線材）を縫うように通し、それぞれの紐の両端にアンカーを接続してそれらのアンカーを地中に打ち込むことでネット本体を地面上に敷設して雑草を防止すると共に、優れた強度と耐久性を備えることで複数回の使用を可能としたものである。
【０００６】
また、本考案者は、以下の特許文献２に示すように樹脂製の遮光ネットと、前記遮光ネットの縁部に沿って延びる支持線材と、当該支持線材の両端部に結合されたアンカー部材と、前記遮光ネットに重ね合わされる樹脂シートとからなる雑草防止兼敷わらシートを提案している。
【０００７】
このような雑草防止兼敷わらシートによれば、樹脂製の遮光ネット全体が樹脂シートで覆われて隙間が無くなるため、雑草の生育を確実に防止できると共に、遮光ネットの縁部に沿って延びる支持線材の両端部に結合されたアンカー部材を地面に差し込むだけで確実かつ容易に地面上に敷設することが可能となる。
【先行技術文献】
【特許文献】
【０００８】
【特許文献１】特開２００２−１１２６４１号公報
【特許文献２】登録実用新案第３１９３９４８号公報
【考案の概要】
【考案が解決しようとする課題】
【０００９】
ところで、前記特許文献２に示すような雑草防止兼敷わらシートは、優れた雑草防止効果と耐久性を発揮できるものの２枚のシートを重ねて用いるため、ややコストが高くなるといった課題がある。また、この遮光ネットを支持するための支持線材を縁部に沿って縫うようにして設けるため、製造や組み立てに手間や時間を要する。
【００１０】
そこで、本考案はこれらの課題を解決するために案出されたものであり、その目的は、材料費が安価で、かつ容易に組み立て・分解することができる新規な雑草防止シートを提供するものである。
【課題を解決するための手段】
【００１１】
前記課題を解決するために第１の考案は、遮光シートと、当該遮光シートの縁部に沿って伸びる支持線材と、前記支持線材を遮光シートの縁部に取り付ける取付部材と、前記支持線材の端部に結合されたアンカー部材とを有することを特徴とする雑草防止シートである。
【００１２】
このような構成によれば、取付部材によって遮光シートの縁部に支持線材を簡単に取り付けてしっかりと固定できるため、組み立て・分解作業が容易になる。また、遮光シートだけであるため、材料費も安価となる。そして、この支持線材の両端部に結合されたアンカー部材を地中に固定することで遮光シートを目的の地面に容易かつしっかりと敷設して雑草の生育を防止することができる。また、この取付部材が重しとしても機能するため、遮光シートの縁部が風で煽られたり捲れるのを防止できる。
【００１３】
第２の考案は、第１の考案において、前記取付部材は、筒状の部材本体の側面に沿って切込部を有して径方向に拡縮自在な挟持部材と、当該挟持部材に嵌め込まれる棒状の巻付部材とからなることを特徴とする雑草防止シートである。このような構成によれば、挟持部材の側面の切込部から拡径して遮光シートの縁部を支持線材と共に巻付部材の外側に嵌め込むだけで、遮光シートの縁部に支持線材をしっかりと固定、取り付けることができる。
【００１４】
第３の考案は、第１または第２の考案において、前記支持線材は、前記遮光シートの縁部を折り返してその折り返し内側に設けられることを特徴とする雑草防止シートである。このような構成によれば、遮光シートの縁部に沿って支持線材を簡単に取り付けることができる。
【００１５】
第４の考案は、第１または第２の考案において、前記支持線材は、前記遮光シートの縁部を折り返して縫い込まれた袋状の通路内を通過するようにして設けられることを特徴とする雑草防止シートである。このような構成によれば、遮光シートの縁部に沿って支持線材を簡単に取り付けることができる。この場合、取付部材は重しの役目を果たしてその縁部がはためいたり捲れたりするのを防止できる。
【考案の効果】
【００１６】
本考案によれば、取付部材によって遮光シートの縁部に支持線材を簡単に取り付けて固定できるため、組み立て・分解作業が容易となる。また、遮光シートだけであるため、材料費も安価となる。そして、この支持線材の両端部に結合されたアンカー部材を地中に固定することで遮光シートを目的の地面に容易かつしっかりと敷設して雑草の生育を防止することができる。また、この取付部材が重しとしても機能するため、遮光シートの縁部が風で煽られたり捲れたりすることも防止できる。
【図面の簡単な説明】
【００１７】
【図１】本考案に係る雑草防止シート１００の実施の一形態を示す平面図である。
【図２】本考案に係る雑草防止シート１００の分解斜視図である。
【図３】本考案に係る雑草防止シート１００の斜視図である。
【図４】本考案に係る取付部材３０を示す斜視図である。
【図５】本考案に係る雑草防止シート１００の組立て例を示す説明図である。
【図６】図１中Ａ部を示す部分拡大図である。
【図７】本考案に係る雑草防止シート１００の敷設例を示す平面図である。
【図８】本考案に係る雑草防止シート１００の他の実施形態を示す平面図である。
【図９】本考案に係る雑草防止シート１００の他の実施形態を示す斜視図である。
【考案を実施するための形態】
【００１８】
次に、本考案の実施の形態を添付図面を参照しながら説明する。図１は、本考案に係る雑草防止シート１００の実施の一形態を示したものである。図示するようにこの雑草防止シート１００は、矩形又は帯状をした遮光シート１０と、この遮光シート１０の縁部に沿って伸びる支持線材２０と、この支持線材２０を遮光シート１０の縁部に固定・取り付けるための複数の取付部材３０，３０…と、この支持線材２０の端部に結合されたアンカー部材４０とから主に構成されている。
【００１９】
この遮光シート１０は、例えば幅１．５〜２ｍ、長さ５ｍ以上の矩形又は帯状に形成されており、例えばポリエチレンやポリプロピレン、ポリエステルなどの合成樹脂からなっている。そして、この遮光シート１０は、雑草の生育に要する太陽光を遮る遮光性を有すると共に、簡単に破れたりすることはなく、優れた機械的強度を有している。また、この遮光シート１０は、風雨や酸、アルカリ、カビ、泥水、塩水などの化学物質に対しても優れた耐久性を有しており、屋外使用においても約１０年以上の使用に耐え得ることが可能となっている。
【００２０】
具体的にはこの遮光シート１０は、ホームセンターなどで一般的に市販されている雑草防止用の合成樹脂製の黒色シートや、ブルーシートなどと呼ばれるものをそのまま利用することができ、敷設時以外にはロール状に巻かれたり、折り畳まれたりして保管、運搬が容易なものが望ましい。なお、この遮光シート１０の色としては、特に限定しないが太陽光を効果的に遮る黒色あるいは濃い色が望ましい。また、この遮光シート１０は透水性でも良いが、不透水性であればより優れた防草効果が得られる。
【００２１】
この遮光シート１０の長手方向の両縁部には、支持線材２０、２０がそれぞれその長手方向に沿って設けられている。この支持線材２０、２０は、引張り強度や耐久性に優れた材料からなっており、遮光シート１０の両縁部を支持・補強するようになっている。そのため、具体的には太さが１〜３ｍｍ程度のナイロンやポリエステル樹脂などからなる軽量・高強度の線材を後述するように遮光シート１０の縁部に折り込むようにしてその内側に沿って設けられている。
【００２２】
この支持線材２０、２０の両端部には、それぞれ金属製のアンカー部材４０，４０が接続されている。このアンカー部材４０は、例えば図２３に示すように先端が尖った金属製の支柱４１の頭部に手持ち用のリング４２を備えた構成をしており、この支柱４１に支持線材２０の端部を縛り付けて適度に引張った状態（張力を付して）で地中に打ち込むことにより、遮光シート１０の縁部を地面にしっかりと敷設できるようになっている。
【００２３】
取付部材３０は、図４に示すように棒状（パイプ状）の巻付部材３１と、この巻付部材３１の外側に嵌め込まれる挟持部材３２とから構成されている。挟持部材３２は、樹脂製のパイプ体の側部に一定幅の切込部３２ａを有すると共に、その切込部３２ａの両側に沿って鍔部３２ｂ，３２ｂを設けたものであり、この切込部３２ａの幅が変化することでその内径が拡縮自在となっている。
【００２４】
一方の巻付部材３１は、例えば外径１５〜２０ｍｍ、長さ１５〜２０ｃｍ程度のパイプ体からなっており、例えば市販のビニール製の水道管を１５〜２０ｃｍ程度の長さに切断することによって容易に得ることができる。そして、挟持部材３２の切込部３２ａを開くように拡径することで巻付部材５０の外側に挟持部材３２を一体的に嵌め込み可能となっている。なお、この挟持部材３２は、具体的にはビニールハウスのパイプに嵌め込まれて用いられるパッカーなどと称される市販品をそのまま利用することができる。
【００２５】
そして、この取付部材３０は図１に示すように遮光シート１０の縁部に沿って所定の間隔を隔てて複数取り付けられるようになっている。なお、この取り付け間隔としては特に限定されるものでなく、できれば短い方が望ましいが、そうするとその数が多くなって取り付け作業も増えるため、例えば２０〜６０ｃｍ間隔程度で取り付けることが望ましい。
【００２６】
次に、このような構成をした本考案の雑草防止シート１００の組み立て方法を説明する。先ず、図５（Ａ）に示すように遮光シート１０の縁部に支持線材２０を配置し、この支持線材２０を境にしてその支持線材２０を内側に包み込むようにしてその遮光シート１０を縁部を折り返す。図の例では、遮光シート１０の下面側に支持線材２０をおいて遮光シート１０の縁部を下側に折り畳むようにしている。
【００２７】
このようにして遮光シート１０の縁部に支持線材２０を位置させたならば、図５（Ｂ）に示すように、この遮光シート１０の縁部の支持線材２０を取付部材３０の巻付部材３１の表面に巻き付ける。このとき巻付部材３１が完全に隠れるように１周以上巻き付けても良いが、図示するように半周程度軽く巻き付ける程度で良い。そして、同図（Ｃ）に示すようにこの巻付部材３１の外側に挟持部材３２を、その巻付部材３１と支持線材２０を含む遮光シート１０の縁部を外側から覆うように嵌め込む。これによって、遮光シート２０の縁部と支持線材２０を簡単かつ確実に一体化することができる。
【００２８】
このようにして遮光シート１０の縁部に沿って所定間隔を隔てて順に取付部材３０を取り付けることで図１に示すように遮光シート１０の縁部に沿って支持線材２０をしっかりと取り付けることができる。そして、この遮光シート１０を広げて地面に敷設し、その四隅に位置するアンカー部材４０，４０，４０，４０を地中に打ち込むだけで、その位置にしっかりと固定することができる。
【００２９】
このような構成をした本考案の雑草防止シート１００にあっては、その遮光シート１０が太陽光を遮ってその下の雑草の生育を確実に防止することができる。また、この遮光シート１０の縁部に沿って延びる支持線材３０，３０の両端部に結合されたアンカー部材３１、３１、３１、３１を地面に差し込むだけで確実かつ容易に地面上に敷設することができる。
【００３０】
そして、この雑草防止シート１００は、その縁部が支持線材２０によって支持されると共に、複数の取付部材３０，３０が重しとしても機能するため、多少の風が吹いてもはためいたり捲れたりすることがない。また、市販の遮光シートのように、その周囲をピンで刺して止める方法では、その遮光シートに穴が空いたり傷付いたりしてその部分から破けたりするおそれがあるが、本考案の雑草防止シート１００は遮光シート１０に穴を開けたりピンを刺したりすることがないため、遮光シート１０が破れたり、穴が大きくなってしまうようなこともない。
【００３１】
また、市販の遮光シートをピンで固定した場合、遮光シートの近くを草刈り作業するためには、誤って遮光シートを切ったりしないように、一旦全てのピンを抜いて遮光シートの縁部を捲り挙げてから草刈り作業をし、作業終了後には、再び多数のピンを刺し直して固定する必要があり、極めて煩わしい。これに対し、本発明の雑草防止シート１００は、その縁部がピンなどで固定されていないため、その近傍の草刈り作業をする際には、その縁部を手で軽く持ち上げたり、一方のアンカー部材４０を抜くだけで容易に捲り挙げて作業を行うことができ、作業終了後は直ぐに元の状態に戻すことができる。
【００３２】
また、仮に遮光シート１０が破れたり穴が空いたりして使用できなくなった場合には、図６に示すように、取付部材３０の挟持部材３２を巻付部材３から外す（分離する）だけで簡単に分解できる。これによって、遮光シート１０のみを新しいものに交換し、支持線材２０や取付部材３０はそのまま再利用することができる。
【００３３】
図７は、本考案の雑草防止シート１００の使用例を示したものである。例えば、畑に沢山の畝があり、畝１にはキャベツや白菜などのいわゆる葉物野菜を栽培する場合には、本考案の雑草防止シート１００である第１シートと第２シートとの間を例えば３０ｃｍ程度離して敷設することにより、その外側での雑草の生育を確実に防止することができる。
【００３４】
この場合、このシート間の隙間で雑草が生育する場合があるが、その量はたいしたことでなく、手作業で容易に除去することができる。また、この遮光シート１０として厚手の丈夫なものを使用すれば、畝と畝の間を覆うように敷設した場合には、その中央部を作業員が移動する通路として利用しても問題ない。
【００３５】
また、畝２にナスやトマトのようないわゆる茎野菜を栽培する場合には、本考案の雑草防止シート１００である第２シートと第３シートとの間を例えば２０ｃｍ程度近づけて敷設することにより、その外側での雑草の生育をより確実に防止することができる。この場合もこのシート間の隙間で雑草が生育する場合があるが、その量は葉物野菜の場合よりも少なく、より簡易な手作業で除去することができる。
【００３６】
また、畝３にカボチャやスイカ、キュウリのようないわゆる蔓野菜を栽培する場合には、本考案の雑草防止兼敷わらシート１００である第３シートと第４シートとの間を例えば５ｃｍ程度まで狭めて敷設することにより、その外側での雑草の生育をより確実に防止することができる。この場合、このシート間の隙間は狭く、仮に雑草が生育してもその量はごく僅かであり、極めて簡易な手作業で除去することができる。しかも、遮光シート自体に適度な伸縮性やクッション性を有しているため、生育した野菜を保護するための敷わらとしての機能も同時に発揮することができる。
【００３７】
さらに、畝の土寄せ作業を行う際にはその両側に位置する雑草防止シート１００の片側（畝側）のアンカー部材４０，４０，４０，４０だけ抜いてめくり上げ、作業終了後に再びアンカー部材４０，４０，４０，４０を地中に差し込むだけでワンタッチで敷設を完了することができる。なお、野菜を植えない場合には、畝に雑草が生えるのでこの雑草防止シート１００を密着させるように施設すれば、その畝の雑草の生育を防止できるため、その畝を保全し、必要なときに敷設しなおせば直ぐに野菜を植えることができる。また、同図に示すようにこの雑草防止シート１００の上に石やペットボトルなどを置けば風対策としてより万全である。
【００３８】
なお、図１に示すように遮光シート１０の幅が比較的狭い場合は、長手方向の両縁部にのみ支持線材２０と取付部材３０を設けても良いが、図８に示すようにこの遮光シート１０の幅方向の縁部にも同様に支持線材２０と取付部材３０を設けても良い。また、図９に示すように、遮光シート１０の縁部を折り返してから縫い込んで袋状の通路１１を形成し、その通路１１内に支持線材２０を通過するようにしても良い。この場合には、取付部材３０は重しの役目を果たしてその縁部がはためいたり捲れたりするのをより効果的に防止することができる。
【符号の説明】
【００３９】
１００…雑草防止シート
１０…遮光シート
１１…通路
２０…支持線材
３０…取付部材
３１…巻付部材
３２…挟持部材
３２ａ…切込部
３２ｂ…鍔部
４０…アンカー部材
４１…支柱  
４２…頭部
【図１】
0003196472.tif 000003
【図２】
0003196472.tif 000004
【図３】
0003196472.tif 000005
【図４】
0003196472.tif 000006
【図５】
0003196472.tif 000007
【図６】
0003196472.tif 000008
【図７】
0003196472.tif 000009
【図８】
0003196472.tif 000010
【図９】
0003196472.tif 000011